(57)【要約】【課題】  本発明は各種装置の操作を行う入力手段がロック状態中に、ロック状態の解除操作をせずとも特定の入力手段の操作を有効とすることができる車載装置を提供することを課題とする。【解決手段】  本発明の車載装置１は、装置全体を制御する制御部２と、人工衛星からの電波を受信するＧＰＳ受信機及び地図情報が記憶されたＣＤ−ＲＯＭ及びその読み取り装置等からなる地図データベースで構成され、車輌の走行案内を行うナビゲーションシステム３と、テレビ放送を受信するテレビ受信部４と、ＡＭ／ＦＭの放送波を受信するラジオ受信部５と、ＣＤ／ＭＤを再生するＣＤ／ＭＤプレーヤ６と、制御部２からの切替信号に基づきテレビ映像、地図情報を表示する液晶等で構成された表示部７と、制御部２からの切替信号に基づきサウンドデータをスピーカにより出力する音声出力部８とを備えていることを特徴とする。【選択図】  図１
2006315507.tif 000002
【特許請求の範囲】
【請求項１】
車輌の現在位置情報や地図情報のナビゲーション画像信号を出力するナビゲーション手
段と、楽曲又は音声のサウンドデータを出力する楽曲再生手段と、
前記サウンドデータに伴う映像の映像データを出力形式に変換し出力する映像出力手段と、
前記ナビゲーション手段，前記楽曲再生手段，前記映像出力手段を制御する制御手段と、
前記制御手段に前記ナビゲーション手段，前記楽曲再生手段，前記映像出力手段を操作するための動作指示信号を入力する入力手段と、
前記動作信号中の特定の動作指示信号を無効とする無効処理を実行する無効手段と、
前記無効手段による無効処理中に、前記特定の動作指示信号の一部の動作信号を有効とする有効処理を実行する割込有効手段とを備えることを特徴とする車載装置。
【請求項２】
前記無効手段による無効処理が実行されているとき、前記割込有効手段は、予め設定した内容で前記入力手段を操作することにより、前記特定の動作指示信号中の一部の動作指示信号を有効にする有効処理を実行することを特徴とする請求項１に記載の車載装置。
【請求項３】
前記サウンドデータ及び／又は前記映像データの出力をトリガーとして、
前記無効手段は、前記入力手段から前記制御手段を介して前記楽曲再生手段及び／又は前記映像出力手段に発信される前記動作指示信号中の特定の動作指示信号を無効とする処理を実行することを特徴とする請求項１又は２に記載の車載装置。
【請求項４】
前記ナビゲーション手段による車輌の目的地を案内するルート案内処理の実行又は前記ナビゲーション画像の出力をトリガーとし、
前記制御手段は、前記無効手段により、前記入力手段から前記制御手段を介して前記ナビゲーション手段に発信される前記動作指示信号中の特定の動作信号を無効とする処理を実行することを特徴とする請求項１〜３の何れかに記載の車載装置。
【請求項５】
前記無効手段による無効処理を実行する日時を設定する無効日時設定手段を更に有することを特徴とする請求項１〜４の何れかに記載の車載装置。
【請求項６】
前記割込有効手段による有効処理を実行する日時を設定する有効日時設定手段を更に有することを特徴とする請求項１〜５の何れかに記載の車載装置。
【請求項７】
前記有効処理が実行された後、所定時間は無効処理が解除されることを特徴とする請求項１〜６の何れかに記載の車載装置。
【請求項８】
解除される無効処理の種類は、前記有効処理により有効とされた前記割込有効手段の操作の種類に応じて設定されていることを特徴とする請求項７に記載の車載装置。
【請求項９】
装置全体の制御を司る制御手段と、
前記制御手段に動作指示信号を入力する入力手段と、
前記動作信号中の特定の動作信号を無効とする無効処理を実行する無効手段と、
前記無効手段による無効処理中に、前記特定の動作指示信号の一部の動作信号を有効とする有効処理を実行する割込有効手段とを備えることを特徴とする情報装置。
【請求項１０】
前記無効手段による無効処理が実行されているとき、前記割込有効手段は、予め設定した内容で前記入力手段を操作することにより、前記特定の動作指示信号中の一部の動作指示信号を有効にする有効処理を実行することを特徴とする請求項９に記載の情報装置。
【請求項１１】
前記無効手段による無効処理を実行する日時を設定する無効日時設定手段を更に有することを特徴とする請求項９又は１０に記載の情報装置。
【請求項１２】
前記割込有効手段による有効処理を実行する日時を設定する有効日時設定手段を更に有することを特徴とする請求項９〜１１の何れかに記載の情報装置。
【請求項１３】
前記有効処理が実行された後、所定時間は無効処理が解除されることを特徴とする請求項９〜１２の何れかに記載の情報装置。
【請求項１４】
解除される無効処理の種類は、前記有効処理により有効とされた前記割込有効手段の操作の種類に応じて設定されていることを特徴とする請求項１３に記載の情報装置。
【発明の詳細な説明】
【技術分野】
【０００１】
本発明は、本発明は、情報装置に設けられた操作キー（操作ボタン等を含む入力手段）の操作を無効にする技術に関し、特に車載式の装置に有効な操作技術に関する。
【背景技術】
【０００２】
従来から、車載型のオーディオ機器，カーナビゲーション装置等の液晶画面のタッチパネルを有する機器には、不慮の操作を防止するために一時的にキーやボタン等の入力部の操作を無効にするロック機能が設けられている。
【０００３】
例えば、特許文献１の制御装置には、本体操作部のキー操作を無効にする（ロック状態にする）ためのチャイルドロックスイッチが設けられている。また、チャイルドロックスイッチを操作するだけでなく、リモコン上にある複数の操作キーのうち複数の操作キーを同時に押すことによりキー操作を無効にすることができる。
【０００４】
また、特許文献２のナビゲーション装置には、車輌の走行中にはテレビの画像を表示器の画面に表示させない制御を実行する制御回路が設けられている。
【特許文献１】特開２０００−１７９２０号広報
【特許文献２】特開２０００−９４８１号広報
【発明の開示】
【発明が解決しようとする課題】
【０００５】
ところで、従来の制御装置やナビゲーション装置は、入力部（キー，ボタン等）がロック状態のときは、全ての入力部の操作が無効とされる。
【０００６】
そのため、ある操作、例えば、オーディオ機能の早送りの操作ボタンだけを操作したい場合でも、入力部のロック状態を解除するための操作を行わなければならない。例えば、特許文献１の制御装置のロック状態を解除するためには、チャイルドロックスイッチを再度押下したり、リモコン上にある複数の操作キーから特定の操作キーを同時に押下したりする。
【０００７】
また、特許文献２のナビゲーション装置は、ＧＰＳ測定手段の一データに基づき車輌が走行中であるか否かを制御回路により判断し、走行中でなければ入力部のロック状態を解除する。つまり、入力部のロック状態を解除するために、ユーザは、車輌の走行を停止させることが必要となる。
【０００８】
しかし、走行中であってもユーザが入力部を操作できることが望ましい。例えば、助手席から操作可能とする場合、助手席のユーザは一度ロック状態を解除した後、所定の操作を行いその後再びロック状態に設定しなければならなかった。
【０００９】
また、運転しているユーザ（運転者）にとっても、走行中に音楽のボリュームを調整するなど、一時的に簡単な操作を行いたい場合がある。このような場合にも、ユーザは一度ロック状態を解除し、所定の動作（例えば、ボリュームを下げる）を行った後、再びロック状態を設定するという動作を要求されていまっていた。
【００１０】
このように、ロック状態を解除するための操作を別個に行わなければならないため、早急にキーを操作したいときや、車輌の走行中で入力部の場所を正確に確認することができない場合には、解除のための操作はユーザにとって煩わしい操作となっていた。
【００１１】
そこで、本発明は、装置への動作指示信号を入力する入力手段による操作が無効となる状態において、その状態を解除する操作をすることなく特定の入力手段の操作を行うことができる車載装置を提供することができる車載装置、情報装置を提供することを課題とする。
【課題を解決するための手段】
【００１２】
本発明は、上記事項に鑑みてなされたものであり、すなわち、本発明は、車輌の現在位置情報や地図情報のナビゲーション画像信号を出力するナビゲーション手段と、楽曲又は音声のサウンドデータを出力する楽曲再生手段と、サウンドデータに伴う映像の映像データを出力形式に変換し出力する映像出力手段と、ナビゲーション手段，楽曲再生手段，映像出力手段を制御する制御手段と、制御手段にナビゲーション手段，楽曲再生手段，映像出力手段を操作するための動作指示信号を入力する入力手段と、動作信号中の特定の動作指示信号を無効とする無効処理を実行する無効手段と、無効手段による無効処理中に、特定の動作指示信号の一部の動作指示信号を有効とする有効処理を実行する割込有効手段とを備えることを特徴とする。
【００１３】
このような構成により、本発明の車載装置は、無効手段によって、入力手段による入力が無効とされる処理（無効処理）が実行されている間であったとしても、割込有効手段による有効処理が実行されることにより、入力手段からの特定の動作指示信号のうちの一部の動作指示信号を有効とすることができる。つまり、本発明の車載装置によれば、無効処理の実行中であっても、入力手段からの操作の一部を有効とすることができる。
【００１４】
これにより、無効処理を解除する操作を行うことなく入力手段による入力操作を行うことができ、操作性を向上させることができる。
【００１５】
さらに、本発明は、無効手段による無効処理が実行されているとき、割込有効手段は、予め設定した内容で入力手段を操作することにより、特定の動作指示信号中の一部の動作指示信号を有効にする有効処理を実行することを特徴とする。
【００１６】
本発明における「特定の動作指示信号」とは、例えば、ナビゲーション手段，楽曲再生手段，映像出力手段の音量の調整，画質調整，早送り操作，巻き戻し操作，再生操作等の動作を行うための信号であり、「特定の動作指示信号の一部の動作信号」とは、そのうちの少なくとも一つの動作を行うための信号を意味している。
【００１７】
割込有効手段は、例えば、入力手段である操作ボタンを１〜３秒長押ししたり、操作ボタンを複数組み合わせて同時に押下したりすることにより有効処理を開始する。その他にも、ユーザが予め、複数の操作ボタンを押下する順番を記憶させておき、その順番で操作ボタンを押下された場合にだけ有効処理を実行するようにしてもよい。
【００１８】
このように、本発明によれば、無効処理（入力手段がロックされている状態）の実行中であっても特定の入力手段の操作を行うことができる。例えば、車載装置が、カーオーディオの場合は、本発明によれば、オーディオの操作で頻繁に利用するスキップボタンや停止ボタン等の入力手段は、入力手段の無効処理中であっても操作できる。
【００１９】
これにより、ユーザは、必要な入力手段については、無効処理の実行中であっても操作することができるため良好な操作性を得ることができる。
【００２０】
また、本発明によれば、ある操作を一回だけしたい場合においてその都度無効処理を解除して操作終了後に再び無効処理を実行させる設定操作を行わなくてよい。そのため、ユ
ーザに対する操作性が向上する。
【００２１】
また、本発明に係る制御手段は、サウンドデータ及び／又は映像データの出力をトリガーとして、無効手段により、入力手段から制御手段を介して楽曲再生手段及び／又は映像出力手段に発信される動作指示信号中の特定の動作指示信号を無効とする処理を実行することができる。
【００２２】
例えば、サウンドデータを出力する音楽再生装置（ＣＤ：Ｃｏｍｐａｃｔ  Ｄｉｓｋ，ＭＤ：Ｍｉｎｉ  Ｄｉｓｋ，ラジオ，ＨＤ：Ｈａｒｄ  Ｄｉｓｋ等の記録メディアを再生する装置）の再生処理中は、映像を再生する映像再生装置（ＴＶ，ＤＶＤ：Ｄｉｇｉｔａｌ  Ｖｉｄｅｏ  Ｄｉｓｋ等の再生装置）を操作するための入力手段からの動作指示信号を無効とする。これにより、ユーザが誤って入力手段を不意に操作してしまうことを防ぐことができる。
【００２３】
さらに、本発明は、ナビゲーション手段による車輌の目的地を案内するルート案内処理の実行又はナビゲーション画像の出力をトリガーとし、制御手段は、無効手段により、入力手段から制御手段を介してナビゲーション手段に発信される動作指示信号中の特定の動作信号を無効とする処理を実行することを特徴とする。
【００２４】
つまり、本発明によれば、ナビゲーション手段のルート案内処理が実行されているときには、無効手段により、ナビゲーション手段を操作する入力手段を自動的に無効状態とすることができる。
【００２５】
これにより、誤った入力手段を操作することによりルート案内処理を中断してしまったり、変更してしまったりすることを防ぐことができる。
【００２６】
また、本発明は、無効手段による無効処理を実行する日時を設定する無効日時設定手段を更に有する構成とすることもできる。無効日時設定手段は、本発明の車載装置に内蔵され、車載装置全体の電源が切られている間も内蔵電池から電源供給を受けて時間をカウントし続けるリアルタイムクロックがカウントする日時を利用すると好ましい。
【００２７】
このような構成により、ユーザが任意に設定した日時（例えば、小さな子供が車輌に同乗する日時や、視聴したいテレビ放送の日時）には、所定の入力手段の操作を無効とすることができる。これにより、ユーザの意に反した入力装置の操作を未然に防ぐことができ、カスタマイズ性が向上する。
【００２８】
また、本発明は、割込有効手段による有効処理を実行する日時を設定する有効日時設定手段を有する構成とすることもできる。この有効日時設定手段は、上記した無効日時設定手段とは反対の処理を実行する手段である。
これによっても、車載装置の操作性及びカスタマイズ性を向上させることができる。
【００２９】
また、本発明車載装置本体にはタッチパネル装置が設けられ、タッチパネル装置により、割込有効手段による有効処理の対象となる入力手段の設定をすることもできる。
【００３０】
本発明に係るタッチパネル装置は、映像や画像を表示する表示パネルと、その表示パネルの上に配された入力手段とを備える。
【００３１】
つまり、表示パネルに割込有効手段による有効処理の対象となる入力手段の種類（例えば、音楽再生装置に関する入力手段，映像再生装置に関する入力手段，ナビゲーション手段に関する入力手段）を表示し、ユーザは、これらの表示部分をタッチすることにより有
効処理に対象となる入力手段の設定を行うことができる。
【００３２】
このように、ユーザインターフェースから有効処理の対象となる入力手段の設定を行うことにより、ユーザに対する操作性や利便性を高めることができる。
【００３３】
また、本発明の車載装置は、有効処理が実行された後、所定時間は無効処理が解除されることを特徴とする。
【００３４】
つまり、本発明の車載装置によれば、有効処理が実行された後、所定時間が経過すると再び無効処理が実行されることになる。所定時間とは、入力手段により連続的な入力操作を十分行える時間（例えば、３〜１０秒）である。
【００３５】
このように、自動的に無効処理が実行されることにより、無効処理を解除したままとなってしまうことを防ぎ、再度の無効処理の実行のための操作の煩わしさを解消することができる。
【００３６】
また、本発明の車載装置は、解除される無効処理の種類は、有効処理により有効とされた割込有効手段の操作の種類に応じて設定されている。
【００３７】
例えば、電源ボタンを長押しするという割込有効手段の操作には、映像再生装置に関する無効処理の解除という処理が対応づけられていたり、早送りボタンと巻き戻しボタンとを同時に押下するという割込有効手段の操作には、音楽再生装置に関する無効処理の解除という処理が対応づけられたりする。
【００３８】
これにより、無効処理を解除するための専用の操作手段を設けることなく、入力手段の押下の仕方や組み合わせによって無効処理を解除することができる。また、最初の操作に無関係な機能の無効処理まで解除されてしまうことがないので、誤操作に対する安全性を高めることができる。例えば、音楽再生装置の操作を一時的に行いたい場合に、ナビゲーション手段の操作まで有効になってしまうということが無く誤操作を極力防止することができる。
【００３９】
また、本発明は、車載装置だけでなく演算処理や各種のプログラムを実行する端末にも適用できる。
【００４０】
つまり、本発明は、装置全体の制御を司る制御手段と、制御手段に動作指示信号を入力する入力手段と、動作信号中の特定の動作信号を無効とする無効処理を実行する無効手段と、無効手段による無効処理中に、特定の動作指示信号の一部の動作信号を有効とする有効処理を実行する割込有効手段とを備えることを特徴とする情報装置である。
【００４１】
そして、本発明に係る無効手段による無効処理が実行されているとき、割込有効手段は、予め設定した内容で入力手段を操作することにより、特定の動作指示信号中の一部の動作指示信号を有効にする有効処理を実行することを特徴とする。
【００４２】
また、本発明は、無効手段による無効処理を実行する日時を設定する無効日時設定手段を更に有することを特徴とする。
【００４３】
さらに、本発明は、割込有効手段による有効処理を実行する日時を設定する有効日時設定手段を更に有することを特徴とする。
【００４４】
また、本発明は、有効処理が実行された後、所定時間は無効処理が解除されることを特
徴とする。
【００４５】
加えて、本発明に係る解除される無効処理の種類は、前記有効処理により有効とされた前記割込有効手段の操作の種類に応じて設定されていることを特徴とする。
【発明の効果】
【００４６】
本発明によれば、装置への動作指示信号を入力する入力手段による操作が無効となる状態において、無効状態を解除する操作をすることなく特定の入力手段の操作を行うことができる車載装置、情報装置を提供することが可能となる。
【発明を実施するための最良の形態】
【００４７】
＜実施例１＞
以下、本実施例の車載装置を図面に基づいて詳説する。尚、本実施例の車載装置は、車輌に搭載され、現在位置情報や地図情報を表示し、ルート案内を行うカーナビゲーション機能と、音楽や音声を再生出力するカーオーディオの機能を有する車載装置であるとして説明する。
【００４８】
＜ハードウェア構成＞
図１に示すように、本実施例の車載装置１は、装置全体を制御する制御部（制御手段）２と、人工衛星からの電波を受信するＧＰＳ受信機及び地図情報が記憶されたＣＤ−ＲＯＭ及びその読み取り装置（ＣＤ−ＲＯＭドライブ）等からなる地図データベースで構成され、車輌の走行案内を行うナビゲーションシステム（ナビゲーション手段）３と、テレビ放送を受信するテレビ受信部４と、ＡＭ／ＦＭの放送波を受信するラジオ受信部５と、ＣＤ／ＭＤを再生するＣＤ／ＭＤプレーヤ（楽曲再生手段）６と、テレビ映像、地図情報を表示する液晶等で構成された表示部（映像再生手段）７と、テレビ、ラジオ、ＣＤ／ＭＤ等のサウンドデータをスピーカにより出力する音声出力部８と、ナビゲーションシステム３、テレビ受信部４、ラジオ受信部５、ＣＤ／ＭＤプレーヤ６の切替を行う切替部９とを備えている。
【００４９】
制御部２は、ナビゲーションシステム３において地図情報に基づいて自車の位置を特定する処理、表示処理、案内処理、オーディオビジュアル機器の動作指示などを行うマイクロコンピュータ等からなり、ナビゲーションシステム３、テレビ受信部４、ラジオ受信部５、ＣＤ／ＭＤプレーヤ６の切替を行うための切替信号を切替部９に送信する。そして、切替部９は、制御部２からの切替信号に基づき上記各装置の切替を行う。
【００５０】
さらに、本実施例の車載装置１は、車載装置１の操作をユーザが行うためのキー（入力手段）１０を備えている。尚、本実施例に係るキー１０は、表示部７上に配されたタッチパネルにて実現されているものとするが、タッチパネル以外のボタンスイッチやつまみ等の入力操作を行う手段であれば適用可能である。
【００５１】
キー１０は、ナビゲーションシステム３、テレビ、ラジオ、ＣＤ、ＭＤの選択、チャンネル（または周波数）の選択、音量調整、音質調整、ナビゲーションシステム３の目的地設定、ＣＤ／ＭＤディスクの排出、表示部７の表示調整等を行うものであり、複数の操作ボタンにより構成されている。
【００５２】
また、本実施例の制御部２は、キーの特定の操作方法を受け付けると、キーの操作（動作指示信号）を無効とする無効処理（無効手段）又は無効処理に割り込んで特定のキーの操作を有効とする有効処理（割込有効手段）を実行する。尚、以下の説明では、キーの操作が無効となる状態をロックモードと称し、キーの操作が有効となる状態をロックモード解除と称する。
以上が、本実施例の車載装置１のハードウェア構成である。
【００５３】
＜動作説明＞
次に本実施例の車載装置１の動作について図に示すフローチャートに基づき説明する。尚、車載装置１の動作は制御部２により制御されているため、以下に説明する本動作処理は制御部２により行われているものとして説明する。
本実施例の車載装置１は、特定のキー１０を長押しする操作方法と、複数のキー１０を組み合わせて同時に押下する操作方法により制御部２の処理内容が多少異なってくる。従って、以下にそれぞれの操作方法による動作説明をする。
【００５４】
（複数のキーを組み合わせた操作の場合）
図２にこの場合の制御部２による処理フローを示す。尚、本実施例では、複数のキーの組み合わせを「早送りキー」と「巻き戻しキー」であるとし、これらを組み合わせた操作を「所定の操作」として説明する。
まず、制御部２は、キー１０の操作による割込が発生したか否かを判断する（Ｓ０１）。ここで、制御部２が、キー１０の操作の割込はないと判断した場合、本処理を終了する。
【００５５】
一方、ステップ０１で、制御部２がキー１０の操作があると判断した場合、制御部２はロックモード処理中か否かを判断する（Ｓ０２）。ここで、制御部２がロックモード処理の実行中であると判断すると、ステップ０１で操作されたキー１０の操作が「所定の操作」か否かを判断する（Ｓ０３）。つまり、ステップ０３では「早送りキー」と「巻き戻しキー」とが同時に押下されたか否かを判断する。
【００５６】
そして、ステップ０３で、制御部２が、割り込まれた操作が「所定の操作」であると判断した場合、操作に対応した処理を実行し（Ｓ０４）本処理を終了する。
【００５７】
これにより、ユーザは、ロックモード処理中であっても所定の組み合わせでキー１０を操作することにより、操作に対応した処理を行わせることができる。
【００５８】
一方、ステップ０３で、割り込まれた操作が所定の操作ではないと判断した場合は、ロックモード中に通常の操作を行っているため、割り込まれた操作は無視され（即ち、ステップ０４をスキップして）処理を終了する。
【００５９】
一方、ステップ０２で、制御部２が、ロックモード処理中でないと判断すると、ステップ０４に進み入力操作に対応した処理を実行し、本処理を終了する。
【００６０】
（長押しで操作した場合）
次に、所定のキー１０（操作ボタン）を長押しすることによりロックモード処理を一時的に解除する場合について説明する。尚、この場合、キー１０を押下している時間を計測するためのタイマが設けられているとする。
【００６１】
この処理は、制御部２が行うメインの処理（例えばナビの案内，オーディオ，ビデオの再生）から定期的（例えば、１ｍｓ間隔）に、又は何らかのトリガーによって発生する不定期的なタイミングで呼び出されるサブプロセスで機器の動作中に繰り返し呼び出されユーザによるキー操作を監視している。
【００６２】
ステップ１０では、キー操作による割込が発生しているか否かを判断する。もし割込が発生していない（つまり、ユーザがキーを操作していない）ならばステップ１５，１６を経て処理を終了してメインの処理に戻る。
ステップ１５では、ユーザがキーを押下し続けている時間Ｔをクリアし、ステップ１６では、今回操作された（されている）キーの種類（例えば、「ＰＬＡＹ」，「早送り」，「巻き戻し」等）を記憶する。尚、キーが押下されていない場合（つまり、ステップ１０で割込が発生していない場合）は、「キー操作無し」として記憶する。
【００６３】
一方、ステップ１０で割込が発生していれば（つまりユーザがキーを操作している）ならばステップ１１に進む。
【００６４】
ステップ１１では制御部２がロックモード処理を実施中かを判断する。ロックモード処理が実施中でないなら普通にキー操作を受け付ければよいので、ステップ１４に移り、入力（ユーザによるキー（タッチパネル）からの入力）に対応した処理を実行してステップ１５を経て処理を終了する（メインの処理に戻る）。
【００６５】
一方、ロックモード処理中ならステップ１２に進む。ステップ１２では操作されたキーが前回この処理が実行されたとキーと同じキーかどうかが判断される。「前回」操作されたキーか否かの判断は、ステップ１６で記憶されたキー（つまり、前回記憶された操作されたキー）の記憶データに基づきわれる。
【００６６】
つまり、ステップ１６で記憶されたキー（前回この処理が実行されたときに押下されていたキー）の種類と、今回操作されたキーの種類とを比較する。例えば、前回に操作されたキーと今回操作されているキーとが「ＰＬＡＹ」のキーであるとすると、ユーザが「ＰＬＡＹ」のキーを押し続けていると判断し、ステップ１３に移る。
【００６７】
一方、前回に操作されていたキーと今回操作されたキーとが異なる場合、例えば、前回は「操作無し」で、今回は「ＰＬＡＹ」のキーが操作されたとすると、ユーザが「ＰＬＡＹ」のキーを押した直後（即ち、長押しでない）と判断し、ステップ１５、ステップ１６を経てメインの処理に戻る（つまり、今回のキーの操作は無視される）。
【００６８】
また、ステップ１３ではユーザが同じキーを押し続けている時間が判定される。具体的にはタイマ値Ｔが所定値Ｔａに達していない場合は、タイマＴをクリアせずにステップ１６を経て元の処理に戻る。
【００６９】
以降、同じキーを押し続けている限りにおいては、ステップ１２では「Ｙｅｓ」になり、ステップ１３では「Ｎｏ」となるため、タイマはクリアされずカウントアップを続ける（タイマ自体はステップ１５でクリアされない限りは常時カウントアップされている）。
【００７０】
やがてタイマ値Ｔが所定値Ｔａに達するとステップ１４に進み入力（ユーザによるキー１０（タッチパネル）からの入力）に対応した処理が実行される。つまり、ユーザ側では一定時間同じキーを押し続けて初めて操作が有効になる。
【００７１】
また、ステップ１５ではタイマ値Ｔをクリアする。但しクリアされるのは、ステップ１０で割込が発生していない（つまりユーザがキーを操作していない）場合か、前回に操作されたキーと今回操作されているキーとが異なっている場合のみである。
【００７２】
つまり、同じキーを操作し続けている限りにおいては、タイマはクリアされずカウントアップを続ける。
【００７３】
そして、タイマ値ＴがＴａに達すると、ステップ１３で「ＹＥＳ」となり、以降は同じキーを押し続けている限りにおいてはキー操作が有効になる。そのため、例えば、ナビで地図をスクロールするときなど、キーを押し続けている間は地図が連続的にスクロールし
ていき、キーを離すとスクロールが停止するというようなユーザインターフェースに特に好適である。尚、一度でもキーを離すとタイマがクリアされるため、再びキーを長押し（Ｔａ秒）しないとキー操作が有効にならない。また、ステップ１６では、今回操作されているキーの種類を記憶する。
【００７４】
このような処理により、本実施例の車載装置１は、ロックモード状態を解除することなく特定のキー１０の操作を可能とする。
【００７５】
これにより、ユーザは、必要なキー１０についてはいつでも操作することができるため良好な操作性を得ることができる。
【００７６】
＜ロックモード設定＞
本実施例の車載装置１は、上述した制御に伴う入力（操作）をユーザが手動で設定することが可能となるようにキー１０をディスプレイに表示する。図４にロックモード設定画面Ａを示す。画面Ａには、オーディオ（楽曲再生、動画再生）時に自動的にオーディオ系の操作のみロックする「ＡＶ系ロックモード」，目的地案内中は自動的にナビ系の操作のみロックする「ナビ系ロックモード」，「ＡＶ系ロックモード」と「ナビ系ロックモード」とを満たす「ＡＶ／ナビロックモード」，ユーザが手動コマンドでロックモードにしたときのみ操作をロックする「通常モード」のチェックボックスが表示されている。
【００７７】
「ＡＶ系ロックモード」を設定することにより、誤った操作で再生されていた楽曲を中断させたり停止させたりすることを防ぐことができる。
【００７８】
「ナビ系ロックモード」を設定することにより、誤ったキー１０の操作によりルート案内処理を中断してしまったり、変更してしまったりすることを防ぐことができる。
【００７９】
このように、ユーザはこの画面Ａから希望するロックモードのチェックボックスにチェックを入れる（表示部７上に配されたタッチパネルを利用して）ことによりロックモードを設定することができる。これにより、ユーザに対する操作性を高めることができる。
【００８０】
また、本実施例の車載装置１によれば、ユーザインターフェースから有効処理の対象となる入力手段の設定を行うことができるため、ユーザに対する操作性や利便性を高めることができる。
【００８１】
＜ロックモード手動コマンド設定＞
また、図５に、図４の画面Ａ中の「通常モード」を選択したときに表示部７に表示されるロックモード手動コマンド設定画面Ｂを示す。画面Ｂには、すべてのキー１０の操作をロックする完全ロック，オーディ（ＡＶ）系統に関するキー１０の操作をロックするＡＶ系ロック，ナビゲーションシステム３系統に関するキー１０の操作をロックするナビ系ロックを設定するチェックボックスが表示されている。
【００８２】
ユーザは、ロックモードを設定したいもののチェックボックスにチェックを入れる（表示部７上に配されたタッチパネルを利用して）ことによりロックモードを設定することができる。
【００８３】
＜ロックモード中操作設定＞
また、図５の画面Ｂ中にはロックモード中のキー１０の操作を有効とするための特定の操作方法を設定するための「ロック中操作」というコマンドメニューが表示されている。このコマンドメニューを選択すると、図６に示す画面Ｃが表示される。
【００８４】
画面Ｃには、「同時押し」と「長押し」とのコマンドメニューが表示されている。「同時押し」は、特定のキーを複数組み合わせて（例えば、早送り処理を開始させるためのキー１０と巻き戻し処理を開始させるためのキー１０等）同時に押下することにより特定のキー１０（例えば、再生処理を開始させるためのキー１０）の操作（動作指示信号）を有効に設定するものである。また、「長押し」は、特定のキー１０を１〜３秒押すことにより特定のキー１０の操作（動作指示信号）を有効に設定するものである。
【００８５】
このように、ユーザの希望にあったロックモード状態（ロックモード処理が開始された状態）を設定することができるため車載装置１のカスタマイズ性を高めることができる。
【００８６】
＜その他の機能＞
また、本実施例の車載装置１の制御部２は、図示しないリアルタイムクロックがカウントする日時を利用し、ユーザが任意に設定した日時（例えば、小さな子供が車輌に同乗する日時や、視聴したいテレビ放送の日時）に、所定のキー１０の操作を無効とする処理（無効日時設定手段）を行うことができる。尚、無効日時の設定は、上述したロックモードの設定と同じく、タッチパネルから入力する。
【００８７】
これにより、ユーザの意に反した入力装置の操作を未然に防ぐことができ（所謂、ロックモードの予約機能）、カスタマイズ性が向上する。
【００８８】
さらに、本実施例の車載装置１の制御部２は、ユーザが任意に設定した日時に所定のキー１０の操作を有効とする処理（有効日時設定手段）を行うことができる。
【００８９】
これにより、ユーザは、特別な操作をせずにロックモードの設定が必要なキーと、ロックモードの設定が不必要なキーとを自動的に設定する（所謂、ロックモードの解除タイマ機能）ことができるため、ユーザに取手の利便性及び操作性を向上させることができる。
【００９０】
＜実施例２＞
次に実施例２の形態の車載装置について説明する。尚、本実施例の車載装置のハードウェア構成は、上述した実施例１の車載装置と同じであるため説明は割愛する。その他にも、実施例１の車載装置の説明と重複する箇所の説明は省略する。
【００９１】
本実施例の車載装置は、ロックモード処理中に「所定の操作」（例えば、上述したキーの長押し操作や複数のキーの同時押し操作等）でキー１０による操作を有効にした後、所定の時間内（例えば３秒）は「通常の操作」を行うことができる。つまり、本実施例の車載装置は、一時的に一定時間の間ロックモード処理を解除することができる。
【００９２】
図７に本実施例の車載装置の処理フローを示す。尚、この処理も、前述した「長押しで操作した場合」の処理と同様に、制御部２が行うメインの処理（例えばナビの案内，オーディオ，ビデオの再生）から定期的（例えば、１ｍｓ間隔）に、又は何らかのトリガーによって発生する不定期的なタイミングで呼び出されるサブプロセスで機器の動作中に繰り返し呼び出されユーザによるキー操作を監視している。
【００９３】
まず、ステップ２０では、キー１０の操作による割込が発生しているか否かを判断する。ここでキー１０の操作による割込が発生していない（つまり、ユーザがキー１０を操作していない）ならば処理を終了してメインの処理に戻る。
【００９４】
一方、ステップ２０で割込が発生していれば（つまりユーザがキー１０を操作している）ならばステップ２１に進む。
【００９５】
ステップ２１では、制御部２が、ロックモード処理が実施中か否かを判断する。ロックモード処理が実施中でないと判断した場合、キーの操作を通常通り受け付け、ステップ２５に移り、入力（ユーザによるキー１０（タッチパネル）からの入力）に対応した処理を実行してステップ２６，２７を経て処理を終了する（メインの処理に戻る）。
【００９６】
一方、ロックモード処理中ならステップ２２に進む。ステップ２２では、タイマ値Ｔ’と所定値Ｔｂとを比較する。尚、Ｔ’は、ステップ２６でクリアされない限りはカウントアップを続ける。ステップ２６が実行されるのはステップ２５で入力（ユーザのキー（タッチパネル）による入力）に対応した処理が実行されたときに限る。つまり、Ｔ’の値は、最後に何等かの有効な操作が行われたときからの経過時間を示す。ステップ２２ではこの経過時間Ｔ’と所定値（所定時間）Ｔｂとを比較し、Ｔ’＞Ｔｂつまり経過時間Ｔ’が所定値Ｔｂより小さければ”Ｎ”となってステップ２３に進む。ステップ２３では、行われた操作が「規定の操作」か否か判断する。尚、「規定の操作」については後述する。
【００９７】
そして、ステップ２３で、今回行われた（行われている）操作が「規定の操作」であると判断された場合は、ステップ２５に移って入力（ユーザによるキー１０（タッチパネル）からの入力）に対応した処理が行われる。
【００９８】
さらに、ステップ２６に進み、今回行われた（行われている）キーの種類（操作の種類）を記憶し、ステップ２７でタイマ値Ｔ’がクリアされる。そして、今回新たに行った操作を起点として経過時間のカウントを開始する。ここで、最後（最近）の操作からの経過時間Ｔ’が所定値Ｔｂを超えている場合はステップ２４に進む。
【００９９】
ステップ２４では、行われた操作が「所定の操作」であるか否か判断する。「所定の操作」であるか否かは、ステップ２６で最後に記憶されたキーの種類のに基づいて行われる。ここで、行われた操作が「所定の操作」ではないと判断されると、本処理を終了してメインの処理に戻る。つまり、操作は無視される（無効となる）。
【０１００】
一方、ステップ２４で、行われた操作が「所定の操作」であると判断した場合は、ステップ２５に進み、入力（ユーザのキー１０（タッチパネル）による入力）に対応した処理が実行される。
【０１０１】
続いて、ステップ２６，２７へと進みタイマ値Ｔ’がクリアされる。つまり、一度ステップ２５で有効な入力処理が行われれば、その後一定時間Ｔｂはステップ２４の処理を経ずに（すなわち、「所定の操作」ではない通常の操作で）入力処理が可能になる。そして、Ｔｂの時間内にキー１０の操作をし続けることで、Ｔ’はその都度クリアされ続けるので一度「所定の操作」で入力操作が有効になった後はＴｂ時間内に操作を続ける限りにおいては何度でも通常の入力操作が可能となる。
【０１０２】
一方、ステップ２３で規定の操作でないと判断された場合は、処理を終了してメインの処理に戻る。つまり、今回なされた操作は無視される（無効となる）。
【０１０３】
（ステップ２３の「規定の操作」について）
本実施例のステップ２３における「規定の操作」とは、直近（最後）に行われた有効な操作を「関連」した操作であると定義する。例えば、直近に行われた操作が「ＰＬＡＹ」であったとすると、その操作に関連する操作として「早送り」，「巻き戻し」，「一時停止」，「停止」等が挙げられる。また、直近に行われた操作が「地図表示」であった場合は、「地図拡大」，「地図縮小」，「地図スクロール」，「目的地設定」，「案内関係」等が挙げられる。
【０１０４】
このように、オーディオ系の操作に対してはオーディオ系の操作を、ナビ系の操作にはナビ系の操作を、というように各々「規定の操作」として予め定義しておく。
【０１０５】
また、音量の調整やディスプレイの輝度の調整等，ナビ，オーディオ，その他の機器に共通して関連するものは、ナビ系，オーディオ系，その他の操作に対して「規定の操作」として定義付けしておいてもよい。また、ユーザがどの操作に対してどの操作を「規定の操作」として定義づけるかをカスタマイズできるようにしてもよい。
【０１０６】
これにより、本実施例の車載装置１によれば、オーディオ系の操作を「所定の操作」で有効にした後、一定時間はオーディオ系の操作のみ通常の操作で行うことができるようになる。尚、ナビ系についても同様である。
【０１０７】
また、本実施例の車載装置によれば、一定時間内であっても、直近の操作と無関係な操作は有効にならないため無条件に全ての操作が有効になることはなく誤操作に対する安全性が高まる。尚、前回の操作から一定時間は全ての操作を有効にする場合は、ステップ２３を無条件でＹＥＳとしステップ２５，２６，２７へ進むようにすればよい。
【０１０８】
このような処理の流れにより、本実施例の車載装置１は、ロックモードを解除（ロックモード処理の終了）することなく特定のキー１０の操作を可能とする。
【０１０９】
これにより、ユーザは、必要なキー１０についてはいつでも操作することができることから良好な操作性を得ることができる。
【０１１０】
以上のように、本実施例の車載装置によれば、一定時間内であれば、直近（最後）の操作と関係のあるキー操作は有効となるため、例えば、ＣＤのトラックを移動しながら目的の楽曲を探すような場合、「ＰＬＡＹ」→「早送り（スキップ）」→「早送り（スキップ）」・・・というように連続的にキー１０を操作する場合、最初の「ＰＬＡＹ」の操作だけでなく、それ以降の操作（「早送り（スキップ）」の操作）まで行うことができる。
【０１１１】
また、本実施例の車載装置によれば、直近の操作と関連したキーの連続的な操作を行うときは、ロックモード処理が完全に解除されている「通常の状態での操作」と変わることなく操作することができる。例えば、上述の場合であれば、最初の「ＰＬＡＹ」の操作のみ「所定の操作」で有効にすれば、その後の「早送り（スキップ）」は通常の操作で操作ができるため、操作性が向上する。
【０１１２】
尚、本実施例の車載装置は、「通常の状態での操作」で行うことができる操作の種類（内容）を、最初の「所定の操作」で有効になったキー１０の操作の種類（内容）に応じて限定することもできる。例えば、オーディオ系統の操作のうち「ＰＬＡＹ」操作を有効にした後は、オーディオ系統の操作（「ＰＬＡＹ」，「早送り」，「巻き戻し」，「一時停止」，「停止」）のみを「通常の状態での操作」で操作できるように設定する。
【０１１３】
これにより、無条件にロックモード処理が解除されて全ての操作が有効となってしまうことを防ぐことができる。
【図面の簡単な説明】
【０１１４】
【図１】第一の実施形態の車載装置のハードウェア構成図である。
【図２】第一の実施形態の車載装置の動作処理を示すフローチャートである。
【図３】第一の実施形態の車載装置の動作処理を示すフローチャートである。
【図４】第一の実施形態に係るロックモード設定画面Ａである。
【図５】第一の実施形態に係るロックモード手動コマンド設定画面Ｂである。
【図６】第一の実施形態に係るロックモード中の操作設定画面Ｃである。
【図７】第二の実施形態の車載装置の動作処理を示すフローチャートである。
【符号の説明】
【０１１５】
１  車載装置
２  制御部（制御手段）
３  ナビゲーションシステム（ナビゲーション手段）
４  テレビ受信部
５  ラジオ受信部
６  プレーヤ（楽曲再生手段）
７  表示部（映像出力手段）
８  音声出力部
９  切替部
１０  キー（入力手段）
【図１】
2006315507.tif 000003
【図２】
2006315507.tif 000004
【図３】
2006315507.tif 000005
【図４】
2006315507.tif 000006
【図５】
2006315507.tif 000007
【図６】
2006315507.tif 000008
【図７】
2006315507.tif 000009